(57)【要約】【課題】細断機構の動作を変更するためのスイッチの周囲や検知スイッチ内に紙粉や埃が入り込みにくくし、紙粉や埃によるスイッチの不具合を防止することが可能なシュレッダを提供する。【解決手段】開口から挿入された細断対象物を細断機構により細断するシュレッダであって、細断機構の動作状態を変更するためのスイッチと、スイッチ周辺への異物の侵入を防ぐ壁部とを備え、スイッチは、少なくとも下部が、シュレッダの筐体から外方に延びる壁部に囲まれている。壁部に囲まれる空間は、シュレッダの筐体に設けた凹部を形成する。【選択図】図３
2008093584.tif 000002
【特許請求の範囲】
【請求項１】
開口から挿入された細断対象物を細断機構により細断するシュレッダであって、
前記細断機構の動作状態を変更するためのスイッチと、
前記スイッチ周辺への異物の侵入を防ぐ壁部と、を備えること
を特徴とするシュレッダ。
【請求項２】
前記スイッチは、前記壁部に囲まれていることを特徴とする請求項１に記載のシュレッダ。
【請求項３】
前記壁部は、前記スイッチに対して、異物が入り込まないような間隔をもって近接されていることを特徴とする請求項１又は請求項２に記載のシュレッダ。
【請求項４】
前記スイッチは、少なくとも下部が、前記シュレッダの筐体から外方に延びる前記壁部に囲まれていることを特徴とする請求項２又は請求項３に記載のシュレッダ。
【請求項５】
前記壁部に囲まれる空間は、前記シュレッダの筐体に設けた凹部をなすことを特徴とする請求項２乃至請求項４のうち、いずれか１に記載のシュレッダ。
【請求項６】
前記壁部は、前記開口を設けた面に配置されていることを特徴とする請求項１乃至請求項５のうち、いずれか１に記載のシュレッダ。
【請求項７】
前記壁部は、前記開口を設けた部材と一体に形成されていることを特徴とする請求項１乃至請求項６のうち、いずれか１に記載のシュレッダ。
【請求項８】
前記壁部は、前記シュレッダの上面部材と一体に形成されていることを特徴とする請求項１乃至請求項７のうち、いずれか１に記載のシュレッダ。
【請求項９】
前記シュレッダは、前記スイッチが押されたことを検出する検知スイッチを備え、前記検知スイッチは前記壁部に囲まれる空間内に配置されていることを特徴とする請求項１乃至請求項８のうち、いずれか１に記載のシュレッダ。
【請求項１０】
前記スイッチは、前記壁部に囲まれる空間内へ向かって延びるスイッチ側壁部を備えることを特徴とする請求項１乃至請求項９のうち、いずれか１に記載のシュレッダ。
【請求項１１】
前記スイッチは、前記壁部を囲むように延びるスイッチ側壁部を備えることを特徴とする請求項１乃至請求項９のうち、いずれか１に記載のシュレッダ。
【請求項１２】
前記検知スイッチは、前記壁部及び前記スイッチ側壁部に囲まれることを特徴とする請求項９又は請求項１１に記載のシュレッダ。
【請求項１３】
前記壁部は、段部を備えることを特徴とする請求項１乃至請求項１２のうち、いずれか１に記載のシュレッダ。
【発明の詳細な説明】
【技術分野】
【０００１】
本発明は、シュレッダに関し、とくに細断機構の動作を変更するためのスイッチを有するシュレッダに関する。
【背景技術】
【０００２】
シュレッダは、開口から挿入された細断対象物を電動の細断機構により細断するものであって、機密情報を含む紙、カード、コンパクトディスクなどを細断するのに用いられることが多い。このようなシュレッダにおいては、細断機構の動作を直ちに停止するための緊急停止スイッチを備えることが提案されている（特許文献１〜５）。
【０００３】
【特許文献１】実開昭６４−１７３４２号公報
【特許文献２】特開平９−７０５５３号公報
【特許文献３】特開平９−１５００６９号公報
【特許文献４】特開２００６−１５０１９０号公報
【特許文献５】特開２００６−７５８３１号公報
【発明の開示】
【発明が解決しようとする課題】
【０００４】
しかしながら、シュレッダを使用していくと、特に上面に設けた開口付近には細断した紙から出た紙粉や埃が堆積しやすく、例えば、スイッチとシュレッダ筐体との間に紙粉や埃が入り込んで堆積すると、その堆積物の影響でスイッチのストロークが確保できなくなり、その結果、スイッチ操作が困難になるおそれがあるが、従来のシュレッダにおいては、この点に関して何ら提案されていない。
【０００５】
そこで本発明は、従来のシュレッダの改良に関するものであり、スイッチの周囲や検知スイッチ内に紙粉や埃が入り込みにくくし、紙粉や埃によるスイッチの不具合を防止することを目的とする。
【課題を解決するための手段】
【０００６】
上記課題を解決するために、本発明のシュレッダは、開口から挿入された細断対象物を細断機構により細断するシュレッダであって、前記細断機構の動作状態を変更するためのスイッチと、前記スイッチ周辺への異物の侵入を防ぐ壁部と、を備えることを特徴とする。
【０００７】
本発明のシュレッダにおいて、前記スイッチは、前記壁部に囲まれていることを特徴とする。
【０００８】
本発明のシュレッダにおいて、前記壁部は、前記スイッチに対して、異物が入り込まないような間隔をもって近接されていることを特徴とする。
【０００９】
本発明のシュレッダにおいて、前記スイッチは、少なくとも下部が、前記シュレッダの筐体から外方に延びる前記壁部に囲まれていることを特徴とする。
【００１０】
本発明のシュレッダにおいて、前記壁部に囲まれる空間は、前記シュレッダの筐体に設けた凹部をなすことを特徴とする。
【００１１】
本発明のシュレッダにおいて、前記壁部は、前記開口を設けた面に配置されていることを特徴とする。
【００１２】
本発明のシュレッダにおいて、前記壁部は、前記開口を設けた部材と一体に形成されていることを特徴とする。
【００１３】
本発明のシュレッダにおいて、前記壁部は、前記シュレッダの上面部材と一体に形成されていることを特徴とする。
【００１４】
本発明のシュレッダにおいて、前記シュレッダは、前記スイッチが押されたことを検出する検知スイッチを備え、前記検知スイッチは前記壁部に囲まれる空間内に配置されていることを特徴とする。
【００１５】
本発明のシュレッダにおいて、前記スイッチは、前記壁部に囲まれる空間内へ向かって延びるスイッチ側壁部を備えることを特徴とする。
【００１６】
本発明のシュレッダにおいて、前記スイッチは、前記壁部を囲むように延びるスイッチ側壁部を備えることを特徴とする。
【００１７】
本発明のシュレッダにおいて、前記検知スイッチは、前記壁部及び前記スイッチ側壁部に囲まれることを特徴とする。
【００１８】
本発明のシュレッダにおいて、前記壁部は、段部を備えることを特徴とする。
【発明の効果】
【００１９】
本発明によると、スイッチ周辺への異物の侵入を防ぐ壁部を備えたことにより、スイッチの周囲や検知スイッチ内に紙粉や埃が入り込みにくくし、紙粉や埃によるスイッチの不具合を防止することができる。
【００２０】
スイッチが、筐体から延出する壁部に囲まれる空間内へ向かって延びるスイッチ側壁部を備えるため、検知スイッチは、壁部で囲まれるだけでなく、スイッチ側壁部にも囲まれることになる。このため、検知スイッチ及び緊急停止スイッチの下方に紙粉や埃が進入、堆積することをより防止することができる。
【００２１】
また、壁部に段部を設けたことにより、凹部周辺の剛性を向上させることができる。
【発明を実施するための最良の形態】
【００２２】
以下、本発明にかかる第１実施形態について、図面を参照しつつ詳しく説明する。ここで、図１は、シュレッダ１０の構成を示す斜視図、図２は、シュレッダ１０の構成を示す平面図である。図１、図２に示すように、第１実施形態にかかるシュレッダ１０は、筐体１１の上面カバー１２に配した開口３１（開口部３５）から細断対象物（例えば、紙、コンパクトディスク、クレジットカード）を挿入し、内部に収容した細断機構（不図示）を用いて細断するものであって、開口を囲むように、開口の全周に沿って、緊急停止スイッチ５０が配置されている。細断機構による細断片は、筐体１１内に収容したダストボックス（不図示）に受容される。なお、細断機構及びダストボックスは周知のものを用いるため、図示及び詳細な説明は省略する。図１、図２、図９、図１１、及び図１３に示すように、上面カバー１２、３１２には、シュレッダ１０への電力の供給を切り替える電源スイッチ１５が設けられている。なお、図７、図８の上面カバー１２には電源スイッチ１５を配置するための凹部１６が形成されている。
【００２３】
図３に示すように、開口部３５は、上面カバー１２をなす略長方形状の上面部材２０の幅方向（上面カバー１２の奥行き方向）（図２の上下方向）略中央において長手方向（図２の左右方向）に延び、かつ、上面部材２０を厚さ方向（図３の上下方向）（鉛直方向）に貫通するように設けた貫通孔２１に、開口形成部材３０を嵌入して上面部材２０と接合させることによって形成する。ここで、図３は、図２のＩＩＩ−ＩＩＩ線に沿った断面図であって、（ａ）は開口形成部材３０を上面部材２０の貫通孔２１に嵌入した状態を示し、（ｂ）は緊急停止スイッチ５０の一部が押された状態を示す図である。開口形成部材３０は、図４に示すように、樹脂の成形により形成された対称形の２部材３０ａ、３０ｂからなり、これらを貫通孔２１に嵌入して端面３７ａ、３７ｂを互いに当接させることにより開口部３５が構成される。ここで、図４は、開口形成部材３０の構成を示す分解斜視図である。この開口形成部材３０は、図３、図４に示すように、対応する端面３７ａ、３７ｂを互いに当接させたときに、開口を形成するように水平面内で延びる線状部分３１と、この線状部分３１から鉛直方向（図３、図４の上下方向）に沿って下方へ延びる、すなわち細断機構に向かう、導通路をなす鉛直面状部分３２と、細断対象物を開口３１へ誘い込む誘い込み形状をなすように、上方へ行くほど開口３１の中心から離れるように傾斜した傾斜部分（挿入ガイド）３３と、が設けられている。線状部分３１によって形成される開口と、傾斜部分３３によって構成される誘い込み形状と、により開口部３５が構成される。なお、本実施の形態では、傾斜部分（挿入ガイド）３３が設けられているものを説明しているが、本発明は、必ずしも傾斜部分（挿入ガイド）３３があるものに限定されるものではない。
【００２４】
このように、上面部材２０には貫通孔２１を設けておく一方で、上面部材２０とは別個に成形した開口形成部材３０を貫通孔２１内に嵌入して上面部材２０と接合させ開口部３５を形成するようにしたので、開口の幅を狭くし、かつ、細断機構に至る経路を長くする場合であっても、型抜きが容易であり、製造のためのコストを抑えることができる。なお、本実施の形態では、上面部材２０に貫通孔２１が形成され、この貫通孔２１に開口形成部材３０が嵌入して接合する構成を示したが、上面部材２０に貫通孔を設けずに、上面部材と開口形成部材とを組み合せて接合することによって、開口部を形成するようにしてもよい。
【００２５】
また、傾斜部分３３は、緊急停止スイッチ５０を開口３１と隔てる隔壁部としての役割も担っているため、使用者が開口３１に入れようと意図した細断対象物が、緊急停止スイッチ５０に接触してしまうことによって緊急停止スイッチ５０が作動状態になってしまうことを防止でき、これにより緊急停止スイッチの誤作動を防ぐことができる。
【００２６】
なお、隔壁部としての傾斜部分３３は、緊急停止スイッチ５０と開口３１を離隔できれば、開口３１とは離間した位置に、上方に延びるように形成することもできる。この場合、傾斜部分３３は、上面部材２０と一体に形成してもよいし、別体として形成して上面部材２０に固定することもできる。
【００２７】
また、隔壁部としての傾斜部分３３の上端は、緊急停止スイッチ５０の上面と同一の高さ又は上面より低い位置にあることが好ましい。
【００２８】
さらにまた、シュレッダ１０の仕様によっては、隔壁部としての傾斜部分３３を、開口３１と緊急停止スイッチ５０とを互いに隔てるように、開口３１と緊急停止スイッチ５０との間の一部のみに配置することもできる。
【００２９】
開口３１の幅Ｗ及び導通路３２の深さ（図６）は、細断対象物以外のものが入り込まないという観点から設定することが好ましい。
【００３０】
上面部材２０の幅方向において、開口３１の両側には、検知スイッチ（検知部）６０を収容する凹部２５が２つずつ形成されている。凹部２５は、傾斜部分３３の上端から連接される段部２４を介して、上側が開いた形状をなしている。凹部２５の中央には、検知スイッチ６０の下面が接着固定される受け部２５ａが上向きに凸設されている。凹部２５を形成する側壁としての壁部２６は、シュレッダ１０の筐体１１から外方（上方）へ延び、かつ、検知スイッチ６０を囲むように配されている。このように検知スイッチ６０を壁部２６で囲むことにより、検知スイッチ６０内部及び緊急停止スイッチ５０の下方に紙粉や埃が進入、堆積することを防止することができる。また、段部２４を設けたことにより、凹部２５周辺の剛性を向上させることができる。なお、壁部は、緊急停止スイッチ５０の周辺への異物の侵入を防ぐことができれば、構成及び配置は任意に設定することができる。例えば、壁部は平板であってもよいし、例えば上部を緊急停止スイッチ５０側へ屈曲させてもよいし、柱状部材で構成してもよい。また、緊急停止スイッチ５０を囲まずに、例えば、紙粉の出やすい開口３１側のみに設けてもよい。さらに、緊急停止スイッチ５０を囲む場合も、開口３１も含む周囲の環境を考慮して、異物が侵入しやすい方向に大きな壁部を配置し、その他の方向は小さな壁部を配置することもできる。
【００３１】
緊急停止スイッチ（スイッチ）５０は、図２及び図７に示すように、樹脂の成形により平面視ロ字状に一体形成されている。その長手方向部分５１の上面には、上方に突出し、かつ、長手方向に沿うように、４本の凸条５３が一体成形されている。凸条５３は滑り止めの効果を奏するものであって、これにより緊急時に確実に緊急停止スイッチ５０を操作することができる。緊急停止スイッチ５０の長手方向部分５１の下面からは、柱状の支持部材５４が下方に延びるように設けられている。支持部材５４は、２つの長手方向部分５１のそれぞれにおいて、長手方向において等間隔に３本ずつ配置されている。緊急停止スイッチ５０の端部は下方に延びるスイッチ側壁部５５をなし、このスイッチ側壁部５５が形成する下側が開いた凹部５７には検知スイッチ６０の上部が収容される。ここで、図７は、上面部材２０及び緊急停止スイッチ５０の構成を示す分解斜視図である。なお、凸条５３の数は、緊急停止スイッチ５０の大きさその他の仕様に応じて任意の数、長さとすることができる。また、幅方向部分５２に設けることもできる。さらにまた、支持部材５４も緊急停止スイッチ５０の大きさその他の仕様に応じて任意の数とし、任意の間隔で配置することができる。また、緊急停止スイッチ５０自体をタッチセンサとして、検知スイッチ６０、コイルバネ７０を省略することもできる。この場合、タッチセンサの検出レベルを調整して、細断対象物が触れたくらいでは細断機構を停止させないようにすることが好ましい。
【００３２】
緊急停止スイッチ５０は、開口３１（上面部材２０）及びシュレッダ１０の筐体１１とは異なる色が付されている。例えば、上面部材２０及び筐体１１の色が白である場合に、緊急停止スイッチ５０はオレンジや赤に着色される。このように、緊急停止スイッチ５０の色を周囲の部材と異なる色とすることにより、使用者に対する注意喚起を図ることができる。
【００３３】
図３に示すように、緊急停止スイッチ５０を上面部材２０に組み付けた状態では、スイッチ側壁部５５は凹部２５内へ向かうように延びている。これにより、検知スイッチ６０は、上述のように壁部２６で囲まれるだけでなく、スイッチ側壁部５５にも囲まれることになる。このため、検知スイッチ６０及び緊急停止スイッチ５０の下方に紙粉や埃が進入、堆積することを効果的に防止することができる。なお、スイッチ側壁部５５は、凹部２５の外側を覆うように設けてもよい。また、スイッチ側壁部５５を、緊急停止スイッチ５０のすべての端部に設けることなく、例えば、紙粉の出やすい開口３１側のみに設けてもよい。さらに、緊急停止スイッチ５０のすべての端部に設ける場合も、開口３１も含む周囲の環境を考慮して、異物が侵入しやすい方向に大きなスイッチ側壁部を配置し、その他の方向は小さなスイッチ側壁部を配置することもできる。
【００３４】
図３に示す検知スイッチ６０は周知のマイクロスイッチであって、本体部６１から上方へ延出した軸部６２の先端に固定された頂部６３が、本体部６１側へ押しこまれたときに検知信号を出力する。この検知スイッチ６０は、図７に示すように、本体部６１の下面が凹部２５の受け部２５ａの上端面に、頂部６３の上面が凹部５７の内面にそれぞれ接着固定される。一方、緊急停止スイッチ５０の支持部材５４にはコイルバネ（弾性部材）７０が外挿され、このコイルバネ７０は、上端が緊急停止スイッチ５０の内面に、下端が上面部材２０にそれぞれ当接される。こうして、緊急停止スイッチ５０は、上面部材２０から離れるように付勢されつつ、固定される。このとき、緊急停止スイッチ５０の中央の矩形状貫通孔５８内には傾斜部分３３の上部が入り込み、平面視では、緊急停止スイッチ５０が開口３１を囲むように配置される。
【００３５】
これにより、緊急停止スイッチのいずれかの部位を操作して細断を停止させることが可能となる。また、いずれの方向からでも容易に緊急停止スイッチを操作することが可能となる。なお、検知スイッチ６０の個数及び配置は任意に選択することができるが、開口３１を挟んだ両側に１つずつ以上あると、どの方向から緊急停止スイッチ５０を押しても検知スイッチ６０が検出できるため好ましい。また、検知スイッチ６０は、使用者が緊急停止スイッチ５０を押したことを検出することができれば、マイクロスイッチ以外のスイッチやセンサを用いることができる。さらに、検知スイッチ６０、コイルバネ７０を介して、緊急停止スイッチ５０を上面部材２０に対して組み付けるという簡素な構成をとったことにより、緊急停止スイッチ５０の組み付けについて必要な部品点数を少なくすることができ、容易に組み付けることができる。
【００３６】
コイルバネ７０の長さ及び弾性力は、使用者が緊急停止スイッチ５０を上面部材２０側へ押していない自然状態において、検知スイッチ６０の頂部６３が本体部６１側へ押し込まれず、緊急停止スイッチ５０が押されたことを検知スイッチ６０が検出しないように設定する。さらに、緊急停止スイッチ５０の検知仕様、すなわち緊急停止スイッチ５０にどの程度の力がかかったときに検知スイッチ６０に検出させるかに応じて、コイルバネ７０の弾性力を設定することが好ましい。また、緊急停止スイッチ５０に対して付勢することができれば、コイルバネ７０以外の弾性部材（例えば、板バネ、ゴム）を用いることもできる。
【００３７】
４つの検知スイッチ６０は、筐体１１内に収容した検知回路（不図示）に接続されており、いずれかの検知スイッチ６０が緊急停止スイッチ５０の押し込みを検出すると検知信号が検知回路に送られる。検知信号を受けた検知回路は、細断機構の駆動源（不図示）に対して駆動停止信号を送り、これにより、細断機構の動作状態に関わらず、駆動源は細断動作を直ちに停止する。例えば、図３（ｂ）に示すように、緊急停止スイッチ５０の一部が力Ｆで押されて、一方の検知スイッチ６０の頂部６３のみが本体部６１側に押し込まれた場合も、この検知スイッチ６０からの検知信号を受けた検知回路は細断機構の駆動源に対して駆動停止信号を送って、細断機構を直ちに停止させる。なお、ここまでの説明では、緊急停止スイッチ５０が押されることにより細断機構の動作を停止することとしていたが、緊急停止スイッチ５０は細断機構の動作状態を変更するためのスイッチであれば、ほかの動作を行うものであってもよい。例えば、緊急停止スイッチ５０を押すことにより、細断機構の回転を正転から逆転に切り替えるスイッチとして構成することもできる。
【００３８】
ここで、上述の実施形態では、貫通孔２１に嵌入される開口形成部材３０の鉛直面状部分３２が細断機構に向かう導通路をなしていたが、これに代えて、図５に示すように、上面部材２０の幅方向略中央において長手方向に延び、かつ、上面部材２０を厚さ方向に貫通するように設けた貫通孔１２１の先端部分１２１ａを導通路として形成することもできる。ここで、図５は、図３に対応する断面図であって、（ａ）は第１実施形態の変形例に係る開口形成部材１３０を上面部材１２０に嵌入した状態を示し、（ｂ）は緊急停止スイッチ５０の一部が押された状態を示す図である。なお、第１実施形態と同じ部材には同じ符号を付して詳細な説明は省略する。
【００３９】
この変形例では、貫通孔１２１の内径の大きな基部１２１ｂから内径の小さな先端部分１２１ａに至る傾斜部分１２１ｃの内面に、先端が当接するように開口形成部材１３０が貫通孔１２１内に嵌入される。この開口形成部材１３０は、開口形成部材３０と同様に、樹脂の成形により形成された対称形の２部材からなり、これらを貫通孔１２１に嵌入して対応する端面を互いに当接させることにより開口部１３５が構成される。この開口形成部材１３０は、図５に示すように、対応する端面を互いに当接させたときに、開口を形成するように水平面内で延びる線状部分１３１と、この線状部分１３１から鉛直方向に沿って下方へ延びる、すなわち細断機構に向かう導通路の一部をなす鉛直面状部分１３２と、細断対象物を開口１３１へ誘い込む誘い込み形状をなすように、上へ向かうほど拡がる傾斜部分１３３と、が設けられている。線状部分１３１によって形成される開口と、傾斜部分１３３によって構成される誘い込み形状と、により開口部１３５が構成される。鉛直面状部分１３２と先端部分１２１ａは互いに連通して、細断機構に向かう導通路を形成する。
【００４０】
このように、上面部材１２０とは別個に成形した開口形成部材１３０を貫通孔１２１内に嵌入して開口部１３５を形成することにより、導通路を上面部材のみで構成する場合と比べて、開口の幅を狭くし、かつ、細断機構に至る経路を長くしても、型抜きが容易であり、製造のためのコストを抑えることができる。
【００４１】
なお、開口形成部材３０を形成する部材３０ａ、３０ｂは、開口部３５を形成することができれば、非対称形状であってもよい。また、３以上の部材を互いに当接することによって開口形成部材３０を形成してもよい。さらに、上面部材と開口形成部材とによって開口が形成されるように構成してもよい。
【００４２】
また、上述の開口形成部材３０、開口形成部材１３０では、対称形の２部材で構成して、貫通孔２１又は貫通孔１２１に嵌入したときに対応する端面を互いに当接させたが、これに代えて、開口形成部材を一つの部材として成形することもできる。これにより、開口形成部材３０や開口形成部材１３０のように貫通孔２１又は貫通孔１２１に嵌入したときに対応する端面を当接させる作業が不要となるため、上面部材の貫通孔への嵌入作業を容易に行うことができ、かつ、確実に開口部及び導通路を形成できる。
【００４３】
さらにまた、図６に示すように、開口形成部材を用いずに開口部２３５を形成することもできる。ここで、図６は、図３に対応する断面図であって、（ａ）は第１実施形態のさらなる変形例に係る上面部材２２０の構成を示し、（ｂ）は緊急停止スイッチの一部が押された状態を示す図である。なお、第１実施形態と同じ部材には同じ符号を付して詳細な説明は省略する。
【００４４】
開口２３１は、上面カバー１２をなす上面部材２２０の一部として樹脂により一体成形され、上面部材２０の幅方向中央に貫設されている。この開口２３１は、下側（図６の下側）において、細断機構へ向かう貫通孔としての導通路２３２に連設されている。一方、上側（図６の上側）において、開口２３１は、細断対象物を開口２３１に誘い込む誘い込み形状をなすように、上へ向かうほど広がる傾斜部分２３３に連設されており、開口２３１と傾斜部分２３３で開口部２３５を構成している。このように、開口形成部材を用いずに開口部２３５を形成することにより、開口形成部材を上面部材に嵌入する作業が不要となるため生産性を向上させることができる。
【００４５】
また、第１実施形態では、開口３１が１つのシュレッダについて述べたが、開口が複数の場合にも本発明は適用することができる。また、開口３１をシュレッダ１０の上面ではなく、他の面に設けた場合についても本発明は適用可能である。
【００４６】
次に第２実施形態について図５を参照しつつ説明する。
第１実施形態では、の緊急停止スイッチ５０を一体成形により形成したが、開口３１を囲むような配置であれば、緊急停止スイッチを複数に分割することもできる。第２実施形態では、図８に示すシュレッダ１１０の緊急停止スイッチ１５０のように、ロの字状の緊急停止スイッチ５０を幅方向略中央で切断した形のコの字状の二つのスイッチ１５１、１５２に分割している。この場合、上述の実施形態の凸条５３、検知スイッチ６０、コイルバネ７０にそれぞれ対応する凸条１５３、検知スイッチ１６０、コイルバネ１７０は、凸条５３、検知スイッチ６０、コイルバネ７０と同様に配置される。また、検知スイッチ１６０は、分割された各スイッチについて少なくとも一つ配置することが好ましい。どのスイッチを押しても緊急停止させる必要があるからである。ここで、図８は、第２実施形態に係る緊急停止スイッチ（スイッチ）１５０及び上面部材２０の構成を示す分解斜視図である。
【００４７】
このように、緊急停止スイッチ１５０により開口３１を断続的に囲むことにより、又は、開口３１を挟むようにスイッチ１５１、１５２を配置すると、緊急停止スイッチのいずれかの部位を操作して細断を停止させることが可能となるとともに、いずれの方向からでも緊急停止スイッチを操作することが可能となる。
【００４８】
次に、本発明の第３実施形態について説明する。ここで、図９は、第３実施形態に係るシュレッダ２１０の緊急停止スイッチ（スイッチ）２５０及び上面カバー１２の構成を示す斜視図、図１０は、第３実施形態に係るシュレッダ２１０の緊急停止スイッチ２５０及び上面カバーの構成を示す側面図である。第３実施形態のシュレッダ２１０においては、第１実施形態の緊急停止スイッチ５０に代えて緊急停止スイッチ２５０を設けている。図９、図１０に示すように、緊急停止スイッチ２５０においては、開口部３５が内挿される矩形状貫通孔２５８側の略ロ字状の端部２５９が、緊急停止スイッチ２５０のほかの部分よりも上方に突出している。緊急停止スイッチ２５０の上面には、上方に突出し、かつ、長手方向に沿うように、４本の凸条２５３が一体成形されている。端部２５９の突出量は、任意に定めることができる。このように、端部２５９を突出させることによって、緊急停止スイッチ２５０を押し易くすることができる。
【００４９】
次に、本発明の第４実施形態について説明する。第４実施形態に係るシュレッダ３１０においては、細断対象物が導通路に挿入されたことを検知して細断機構の細断を開始させる細断開始スイッチ３４０が設けられている。図１１、図１２に示すシュレッダ３１０では、細断開始スイッチ３４０について詳細に説明するために緊急停止スイッチを配置していないが、第４実施形態にかかる細断開始スイッチ３４０は、上述の第１〜第３実施形態に適用することができる。例えば第３実施形態について適用したものが図１３に示す第４実施形態の変形例にかかるシュレッダ４１０であり、細断開始スイッチ３４０と同様の構成の細断開始スイッチ４４０が設けられている。細断開始スイッチ４４０の構成、作用は細断開始スイッチ３４０と同様であるため、詳細な説明は省略する。ここで、図１１は、第４実施形態に係るシュレッダ３１０の構成を示す斜視図である。図１２は、第４実施形態に係る細断動作開始スイッチ３４０の構成を示す図であって、（ａ）は図１１のＸＩＩＡ−ＸＩＩＡ線に沿った断面図、（ｂ）は図１１のＸＩＩＢ−ＸＩＩＢ線に沿った断面図である。図１３は、第４実施形態の変形例に係るシュレッダ４１０の緊急停止スイッチ、細断動作開始スイッチ、及び上面カバーの構成を示す斜視図である。
【００５０】
図１１、図１２に示すように、第４実施形態にかかるシュレッダ３１０は、筐体３１１の上面カバー３１２に配した開口３３１（開口部３３５）から細断対象物を挿入し、内部に収容した細断機構（不図示）を用いて細断するものである。開口部３３５は、図１２に示すように、上面カバー３１２をなす平面視略長方形状の上面部材３２０の幅方向略中央において長手方向に延び、かつ、上面部材３２０を厚さ方向に貫通するように設けた貫通孔３２１に、開口形成部材３３０を嵌入することによって形成する。開口形成部材３３０は、樹脂の成形により形成され、開口を形成するように水平面内で延びる線状部分３３１と、この線状部分３３１から鉛直方向に沿って下方へ延びる、すなわち細断機構に向かう、導通路をなす鉛直面状部分３３２と、細断対象物を開口３３１へ誘い込む誘い込み形状をなすように、上へ向かうほど拡がる傾斜部分３３３と、が設けられている。線状部分３３１によって形成される開口と、傾斜部分３３３によって構成される誘い込み形状と、により開口部３３５が構成される。開口形成部材３３０は第１実施形態の開口形成部材３０のように対称形の２部材で構成しても良いし、一体化された部材で構成してもよい。
【００５１】
開口形成部材３３０には、図１２（ａ）に示すように、長手方向中央部において幅方向に沿って切り欠いたスイッチ挿入部３３８が設けられている。この挿入部３３８には、軸３４１を中心に揺動可能な挿入検出部材３４２の先端部分３４２ａが挿入されている。挿入検出部材３４２には、挿入検出部材３４２の揺動を検知するセンサ３４３が接続されている。センサ３４３は、細断機構の駆動源（不図示）に接続され、挿入検出部材３４２が揺動したことを検出すると、細断機構の駆動源に対して細断開始信号を送り、これを受けた駆動源は細断機構の動作を開始する。挿入検出部材３４２は、その先端部分３４２ａに対して、鉛直面状部分３３２内に挿入された細断対象物の先端が接触し、さらに先端部分３４２ａが下方に押し下げられると、挿入検出部材３４２を中心に下方に揺動する。これにより、センサ３４３が挿入検出部材３４２の揺動を検出すると、細断機構の駆動源に対して細断開始信号が送出され、これを受けた駆動源は細断機構の動作を開始する。
【００５２】
一方、軸３４１は、レバー部材３４４の端部３４４ａも揺動可能に軸支している。このレバー部材３４４の他方の端部３４４ｂは、上面部材３２０の長手方向略中央を切り欠いた切り欠き部３２７において、上面部材３２０を鉛直方向に貫通する貫通孔３２８から、外部へ延出している。作業者が端部３４４ｂを操作すると、レバー部材３４４は軸３４１を中心に揺動し、この揺動を検出したセンサ３４３は、細断機構の駆動源に対して細断開始信号を送り、これを受けた駆動源は細断機構の動作を開始する。
【００５３】
このような細断開始スイッチ３４０を設けると、細断対象物の挿入によって細断機構が動作させ、又は、細断開始スイッチ３４０の操作によって細断機構を動作させることを、選択的に行うことが可能となる。
【００５４】
本発明について上記実施形態を参照しつつ説明したが、本発明は上記実施形態に限定されるものではなく、改良の目的または本発明の思想の範囲内において改良または変更が可能である。
【図面の簡単な説明】
【００５５】
【図１】本発明の第１実施形態に係るシュレッダの構成を示す斜視図である。
【図２】本発明の第１実施形態に係るシュレッダの構成を示す平面図である。
【図３】図２のＩＩＩ−ＩＩＩ線に沿った断面図であって、（ａ）は本発明の第１実施形態に係る開口形成部材を上面部材に嵌入した状態を示し、（ｂ）は緊急停止スイッチの一部が押された状態を示す図である。
【図４】本発明の第１実施形態に係る開口形成部材の構成を示す分解斜視図である。
【図５】図３に対応する断面図であって、（ａ）は本発明の第１実施形態の変形例に係る開口形成部材を上面部材に嵌入した状態を示し、（ｂ）は緊急停止スイッチの一部が押された状態を示す図である。
【図６】図３に対応する断面図であって、（ａ）は本発明の第１実施形態のさらなる変形例に係る上面部材の構成を示し、（ｂ）は緊急停止スイッチの一部が押された状態を示す図である。
【図７】本発明の第１実施形態に係る上面部材及び緊急停止スイッチの構成を示す分解斜視図である。
【図８】本発明の第２実施形態に係る緊急停止スイッチ及び上面部材の構成を示す分解斜視図である。
【図９】本発明の第３実施形態に係る緊急停止スイッチ及び上面カバーの構成を示す斜視図である。
【図１０】本発明の第３実施形態に係る緊急停止スイッチ及び上面カバーの構成を示す側面図である。
【図１１】本発明の第４実施形態に係るシュレッダの構成を示す斜視図である。
【図１２】本発明の第４実施形態に係る細断動作開始スイッチの構成を示す図であって、（ａ）は図１１のＸＩＩＡ−ＸＩＩＡ線に沿った断面図、（ｂ）は図１１のＸＩＩＢ−ＸＩＩＢ線に沿った断面図である。
【図１３】本発明の第４実施形態の変形例に係るシュレッダの緊急停止スイッチ、細断動作開始スイッチ、及び上面カバーの構成を示す斜視図である。
【符号の説明】
【００５６】
１０    シュレッダ
１１    筐体
１２    上面カバー
２０    上面部材
２１    貫通孔
２４    段部
２５    凹部
２６    壁部
３０    開口形成部材
３１    開口（線状部分）
３２    導通路（鉛直面状部分）
３３    傾斜部分（隔壁部）（挿入ガイド）
３５    開口部
５０    緊急停止スイッチ（スイッチ）
５３    凸条
５５    スイッチ側壁部
５７    凹部
６０    検知スイッチ（検知部）
７０    コイルバネ（弾性部材）
１１０  シュレッダ
１２０  上面部材
１２１  貫通孔
１３０  開口形成部材
１３１  開口（線状部分）
１３２  導通路（鉛直面状部分）
１３３  傾斜部分（隔壁部）
１３５  開口部
１５０  緊急停止スイッチ
１５１  スイッチ（緊急停止スイッチ）
１５３  凸条
１６０  検知スイッチ（検知部）
１７０  コイルバネ（弾性部材）
２１０  シュレッダ
２２０  上面部材
２３１  開口
２３２  導通路
２３３  傾斜部分
２３５  開口部
２５０  緊急停止スイッチ
２５３  凸条
２５９  端部
３１０  シュレッダ
３１２  上面カバー
３２０  上面部材
３２１  貫通孔
３３０  開口形成部材
３３１  開口（線状部分）
３３２  導通路（鉛直面状部分）
３３３  傾斜部分（隔壁部）
３３５  開口部
３３８  スイッチ挿入部
３４０  細断開始スイッチ
３４３  センサ
４１０  シュレッダ
４４０  細断開始スイッチ
【図１】
2008093584.tif 000003
【図２】
2008093584.tif 000004
【図３】
2008093584.tif 000005
【図４】
2008093584.tif 000006
【図５】
2008093584.tif 000007
【図６】
2008093584.tif 000008
【図７】
2008093584.tif 000009
【図８】
2008093584.tif 000010
【図９】
2008093584.tif 000011
【図１０】
2008093584.tif 000012
【図１１】
2008093584.tif 000013
【図１２】
2008093584.tif 000014
【図１３】
2008093584.tif 000015